(57)【要約】【課題】コネクタの端子部を保護するコネクタの保護カバーにおいて、コネクタピンでなる端子部がハウジングから突出してなる種類のコネクタにおいても、保管時、輸送時等における端子部へのゴミの侵入、外力による損傷等を防止し、着脱が容易で、再利用が可能なコネクタの保護カバーを実現することを課題とする。【解決手段】コネクタにはコード部が備えられ、保護カバーは開閉可能に分割された箱型形状に形成され、コード部を引き出すための切り欠き部が設けられ、コネクタが保護カバーに包み込まれた時、コード部が切り欠き部の内壁に挟持されて動きが抑制され、コード部が連結されたモールド部の端子部が保護カバーの内壁に当たらないように収納保持されてなることを特徴とする。【選択図】  図１
2004319138.tif 000002
【特許請求の範囲】
【請求項１】
コード部が接続されたコネクタの端子部を保護するコネクタの保護カバーにおいて、
前記保護カバーは開閉可能に分割された第１のカバー本体と第２のカバー本体とで形成され、該各々の第１のカバー本体と第２のカバー本体には、前記コード部を貫通するための切り欠き部が設けられ、
前記第１のカバー本体と第２のカバー本体とが閉状態となり、前記コネクタが前記保護カバー内に収納された状態で、前記コード部が前記切り欠き部の内壁に挟持されてなることを特徴とするコネクタの保護カバー。
【請求項２】
前記切り欠き部には、該切り欠き部の内壁より延設されたリブが設けられ、該リブにより前記コード部が挟持されてなることを特徴とする請求項１記載のコネクタの保護カバー。
【請求項３】
コード部が接続されたコネクタの端子部を保護するコネクタの保護カバーにおいて、
前記保護カバーは開閉可能に分割された第１のカバー本体と第２のカバー本体とで形成され、該各々の第１のカバー本体と第２のカバー本体の内壁には前記コネクタのモールド部と当接可能なリブが設けられ、
前記第１のカバー本体と第２のカバー本体とが閉状態となり、前記コネクタが前記保護カバー内に収納された状態で、前記モールド部が前記リブの内壁に当接可能な状態で保持されてなることを特徴とするコネクタの保護カバー。
【請求項４】
コネクタの端子部を保護するコネクタの保護カバーにおいて、
前記保護カバーには、前記コネクタと接続、又は分離可能な連結ワイヤが設けられてなることを特徴とするコネクタの保護カバー。
【請求項５】
コネクタの端子部を保護するコネクタの保護カバーにおいて、
前記コネクタには、該コネクタを保護する保護カバーと接続、又は分離可能な連結ワイヤが設けられてなることを特徴とするコネクタ。
【請求項６】
前記保護カバーは、生分解性プラスチック材により成形されてなることを特徴とする請求項１乃至４記載のコネクタの保護カバー。
【請求項７】
前記コネクタは、生分解性プラスチック材により成形されてなることを特徴とする請求項５記載のコネクタ。
【発明の詳細な説明】
【０００１】
【発明の属する技術分野】
本発明は、コネクタの端子部が輸送中等における外力で損傷しないように、又ゴミ等が入らないように保護されたコネクタの保護カバー及び保護カバー付きコネクタに関する。
【０００２】
【従来の技術】
コネクタの端子部が輸送中等における外力で損傷しないように、又端子部にゴミ等が入らないように保護する方法には、一般にコネクタ部をスポンジで包んでビニールで巻きつけ、セロハンテープ等で係止する方法と、コネクタ部にカバーを被せてコネクタの端子部を保護する保護カバーが用いられたもの等がある。
【０００３】
このコネクタにカバーを被せてコネクタの端子部を保護する保護カバーの一例について、図面を参照して説明する。
【０００４】
図５は、従来のコネクタの保護カバーを示す図で、（ａ）は外観斜視図、（ｂ）はコネクタに保護カバーを被せた状態断面図である。
【０００５】
コネクタの保護カバー１００は、例えばコネクタ１０５を収納保持するカバー本体１０１と、コネクタ１０５に設けられたロックアーム１０８を保護する一対の保護壁１０２と、ロックアーム１０８に形成された係合段部１０８ｂを係合する係合突起１０４と、係合突起１０４が設置されたホルダ１０３等を備えている。
【０００６】
そして、このコネクタの保護カバー１００は、車両用のワイヤハーネス等に接続されるコネクタ１０５の端子部１０７を覆うように、図５に示す矢印方向Ｆ１０１に向けてコネクタ１０５に被せ、相手側のコネクタ嵌合部（図示せず）と嵌合する前の保管時や輸送時等におけるゴミの侵入等を防ぎ、端子部１０７を保護するものである。
【０００７】
このコネクタ１０５は、相手側（例えば、車両のインストルメントパネルに取付けられるメータパネル）のコネクタ嵌合部（図示せず）に嵌合接続されるものであり、電線付端子１０９が樹脂材等でなるコネクタ本体１０６に整列収納され、コネクタ本体１０６の外周壁に突設されているロックアーム１０８は、端子部１０７側から後方へ延びる可撓アーム１０８ａと、可撓アーム１０８ａ上に形成された係合段部１０８ｂと、係合段部１０８ｂの自由端側に形成された指あて部１０８ｃとを備えた構造をなしている。ロックアーム１０８に形成された係合段部１０８ｂは、コネクタ１０５をメータパネルのコネクタ嵌合部（図示せず）に嵌合接続した際に、メータパネルのコネクタ嵌合部に装備されている係合突起に係合されるようになっている。この時、図示していないが、各電線付端子１０９に設けられたバネ部１０９ａがメータパネルのコネクタ嵌合部側に装着されているフレキシブルプリント配線基板上の端子部と電気的接続状態となっている。そして、可撓アーム１０８ａの自由端に形成された指あて部１０８ｃを図５に示す矢印方向Ｆ１０２に押圧すると、可撓アーム１０８ａがコネクタ本体の外周壁側に撓み、係合段部１０８ｂが、図示していないメータパネルのコネクタ嵌合部側の係合突起から係合解除される。
【０００８】
このコネクタ１０５を保護するカバー１００は、コネクタ１０５の端子部１０７を覆うように、カバー本体１０１を図５に示す矢印方向Ｆ１０１に向けてコネクタ１０５に被せ、コネクタ１０５の端子部１０７を保護している。
【０００９】
このカバー本体１０１をコネクタ１０５に被せた状態は、図５（ｂ）に示すように、カバー本体１０１が矢印方向Ｆ１０１に向けてコネクタ１０５に被せられると、コネクタ１０５に設けられたロックアーム１０８の可撓アーム１０８ａがカバー本体１０１に設けられたホルダ１０３の係合突起１０４に当接押圧され、矢印方向Ｆ１０２に撓ませられ、係合突起１０４がロックアーム１０８に形成された係合段部１０８ｂに嵌め込まれ、カバー本体１０１がコネクタ１０５に係合された状態となる。この時、ロックアーム１０８の指あて部１０８ｃは、ホルダ１０３（係合突起１０４が設置されている）の両側に設けられた一対の保護壁１０２の上端部より高さＬ１０１だけ離間した内側に配設されるように設定されている。
【００１０】
これにより、コネクタ１０５の保管時、輸送時等における他の部材等が指あて部１０８ｃ等に当らないようにされているので、不用意に指あて部１０８ｃが押圧されてコネクタ１０５がカバー本体１０１から抜け落ちる等のミスが防止されている。そして、コネクタ１０５を相手側のコネクタ嵌合部（図示せず）に接続した後のコネクタ１０５の着脱が指あて部１０８ｃの押圧操作で容易にできるようにしたものである（例えば、特許文献１参照。）。
【００１１】
この出願の発明に関する先行技術文献としては次のものがある。
【００１２】
【特許文献１】
特開平１１−３０７１６８号公報
【００１３】
【発明が解決しようとする課題】
上述のように、コネクタの端子部を保護する方法として、コネクタ部をスポンジで包んでビニールで巻きつけ、セロハンテープ等で係止するようにしたものでは、取付け取外しに手間がかかり、取付ける状態がバラツクので輸送中に外れることがあり、再利用がし難いという問題がある。また、コネクタ部に保護カバーを被せてコネクタの端子部を保護するようにしたものでは、バネ部を有する電線付端子でなる端子部がコネクタ本体の先端部のハウジング内部に装着され、相手側のコネクタと係合するロックアームがコネクタのハウジングの外周壁に装着されてなる特殊なコネクタに用いられたものなので、コネクタピンでなる端子部がコネクタ本体のハウジングから突出して装着された種類のコネクタ等には適用できない。
【００１４】
本発明は、上記のような問題に鑑みなされたもので、コネクタピンでなる端子部がコネクタ本体から突出してなる種類のコネクタにおいても、保管時、輸送時等における端子部へのゴミの侵入、外力による損傷等を防止し、着脱が容易で、再利用が可能なコネクタの保護カバーを実現することを課題とする。
【００１５】
【課題を解決するための手段】
上記目的を達成するために、本発明は、コード部が接続されたコネクタの端子部を保護するコネクタの保護カバーにおいて、前記保護カバーは開閉可能に分割された第１のカバー本体と第２のカバー本体とで形成され、該各々の第１のカバー本体と第２のカバー本体には、前記コード部を貫通するための切り欠き部が設けられ、前記第１のカバー本体と第２のカバー本体とが閉状態となり、前記コネクタが前記保護カバー内に収納された状態で、前記コード部が前記切り欠き部の内壁に挟持されてなることを特徴とするものである。
【００１６】
また、前記切り欠き部には、該切り欠き部の内壁より延設されたリブが設けられ、該リブにより前記コード部が挟持されてなることを特徴とするものである。
【００１７】
また、コード部が接続されたコネクタの端子部を保護するコネクタにおいて、前記保護カバーは開閉可能に分割された第１のカバー本体と第２のカバー本体とで形成され、該各々の第１のカバー本体と第２のカバー本体の内壁には前記コネクタのモールド部と当接可能なリブが設けられ、前記第１のカバー本体と第２のカバー本体とが閉状態となり、前記コネクタが前記保護カバー内に収納された状態で、前記モールド部が前記リブの内壁に当接可能な状態で保持されてなることを特徴とするものである。
【００１８】
また、コネクタの端子部を保護するコネクタの保護カバーにおいて、前記保護カバーには、前記コネクタと接続、又は分離可能な連結ワイヤが設けられてなることを特徴とするものである。
【００１９】
また、コネクタの端子部を保護するコネクタの保護カバーにおいて、前記コネクタには、該コネクタを保護する保護カバーと接続、又は分離可能な連結ワイヤが設けられてなることを特徴とするものである。
【００２０】
また、前記保護カバーは、生分解性プラスチック材により成形されてなることを特徴とするものである。
【００２１】
また、前記コネクタは、生分解性プラスチック材により成形されてなることを特徴とするものである。
【００２２】
【発明の実施の形態】
本発明の第１の実施の形態に係るコネクタの保護カバーについて、図面を参照して説明する。
【００２３】
図１は本発明の第１の実施の形態に係るコネクタの保護カバーを示す図で、（ａ）はコネクタを保護カバーに収納した状態の断面図、（ｂ）は保護カバーの展開斜視図である。
【００２４】
本発明の第１の実施の形態に係るコネクタの保護カバー１０は、例えばコネクタ２１を収納保持する２つに分割された第１カバー本体１１、第２カバー本体１２と、コネクタ２１に設けられたコード部２４を押圧保持するリブ１３、１４と、各カバー本体１１、１２を開閉可能に連結するヒンジ１７と、各カバー本体１１、１２をワンタッチで開閉着脱できるジョイント１５、１６等を備えている。
【００２５】
コネクタ２１は、例えば樹脂材等でなるコネクタ本体２２と、先端部近傍の片側面部に突出したコネクタピンである端子部２３と、ワイヤハーネスと接続されるコード部２４等を備えた構造をなしており、外部電子機器に装着されているコネクタ嵌合部（図示せず）等に嵌合接続されるものである。このコネクタ２１のコネクタピンである端子部  （以降、端子部と称す）  ２３は、コネクタ本体２２の片側面部に突出して設けられているので、ゴミの付着、及び外力による損傷等を防ぐために保護カバー１０が被せられている。
【００２６】
第１カバー本体１１と第２カバー本体１２は、対称的に分割された箱型形状に形成され、各カバー本体１１、１２の側面壁に設けられたヒンジ１７で連結された開閉可能な構造に環境負荷の小さい生分解性プラスチック等の樹脂材で一体成形されており、コネクタ２１を包み込んで収納保持するものである。
【００２７】
この第１カバー本体１１と第２カバー本体１２には、それぞれコネクタ２１のコード部２４を引き出すための切り欠き部１１ａ、１２ａと、切り欠き部１１ａ、１２ａから延設されたコード部２４を押圧保持するリブ１３、１４と、各カバー本体１１、１２をワンタッチで開閉着脱できるジョイント１５、１６が一体成形されている。
【００２８】
リブ１３、１４は、第１カバー本体１１と第２カバー本体１２の側面壁に設けられたコード部２４を引き出すための切り欠き部１１ａ、１２ａから突出（図１（ｂ）に示す２点斜線の位置から外側に向けて突出したもの）して形成されており、コード部２４が押圧保持されるようにしたものである。このリブ１３、１４は、コネクタ２１のコード部２４と対向する位置に設けられ、コネクタ２１がカバー本体１１、１２により包み込まれた状態で、コード部２４がリブ１３、１４の各押圧面１３ａ、１４ａで挟み込まれてぐらつかないように挟持され、コード部２４に連結されたコネクタ本体２２に設けれた端子部２３の動きが各カバー本体１１、１２の内壁との設定された隙間寸法内に抑制される。この動きの抑制により、コネクタ２１の端子部２３が各カバー本体１１、１２の内壁に接触しないようにされた状態で、コネクタ２１が各カバー本体１１、１２の空洞部内１８に収納保持されることになる。そして、リブ１３、１４は、輸送中等におけるコネクタ２１の押圧保持力を強化するため、図１（ｂ）に示すように、幅Ｌ１３と奥行Ｌ１２と切り欠き高さＬ１１が、それぞれコネクタ２１のコード部２４の仕様に対応させて設定されている。
【００２９】
尚、本実施例による保護カバー１０では、各カバー本体１１、１２にリブ１３、１４が設けられて、コネクタ２１のコード部２４が挟み込まれて挟持されるようにされているが、これにこだわることなく、各カバー本体１１、１２の側壁に設けられたコード部２４を引き出すための切り欠き部１１ａ、１２ａの切り欠き高さＬ１１をコード部２４の厚みに対応させて小さ目に設定し、切り欠き部１１ａ、１２ａの内壁でコード部２４が挟み込まれてぐらつかないように挟持されるようにしても良い。この切り欠き部１１ａ、１２ａの内壁によるコード部２４の挟持により、端子部２３の動きは各カバー本体１１、１２との調整設定された隙間寸法内に抑制され、リブを用いなくても端子部２３が各カバー本体１１、１２の内壁に接触しないようにすることができる。又、切り欠き高さＬ１１を高精度にすることなく、コード部２４の厚みが多少変わっても隙間なく挟持できるように、切り欠き部１１ａ、１２ａにゴム材等を装着するようにしても良い。
【００３０】
ジョイント１５、１６は、第１カバー本体１１と第２カバー本体１２が連結されているヒンジ１７に対向した側面壁に、それぞれ一体成形されており、ヒンジ１７を介して第１カバー本体１１と第２カバー本体１２を開閉する時、ワンタッチで開閉着脱できるようにしたものである。このジョイント１５、１６は、嵌め込みピン部１６とその受けホルダ１５とで、開閉着脱がワンタッチでできる構造を総称したものである。
【００３１】
このコネクタの保護カバー１０は、コネクタ２１を包み込むように収納保持し、コネクタ２１の端子部２３を保護している。この保護カバー１０内へのコネクタ２１の収納保持は、２つに分割された第１カバー本体１１と第２カバー本体１２とをヒンジ１７を介して、図１に示す矢印方向Ｆ１１に向けてコネクタ２１に被せ、第１カバー本体１１と第２カバー本体１２をジョイント１５、１６によりワンタッチで係合して行われる。この時、コネクタ２１のコード部２４が第１カバー本体１１と第２カバー本体１２の各リブ１３、１４で挟み込まれてぐらつかないように押圧挟持され、コード部２４に連結されたコネクタ２１の端子部２３の動きが抑制され、各カバー本体１１、１２の内壁に当らないように、各カバー本体１１、１２の空洞部内１８に収納保持されている。
【００３２】
これにより、保護カバー１０に収納保持されたコネクタ２１は、相手側（例えば、外部電子機器等）のコネクタ嵌合部（図示せず）と嵌合接続する前の保管時や輸送時等におけるゴミの侵入、及び外力による端子部２３への損傷等が防止されることになる。そして、相手側（例えば、外部電子機器等）のコネクタ嵌合部（図示せず）との嵌合接続は、第１カバー本体１１と第２カバー本体１２をジョイント１５、１６によりワンタッチで開放してコネクタ２１を取出して行われる。
【００３３】
尚、本実施例による保護カバー１０は、端子部２３が、コネクタ本体２２の先端部近傍の片側面部に突出して設けられたコネクタ２１に用いているが、これにこだわることなく、端子部がコネクタ本体の先端部に突出して設けられたコネクタ、又は端子部がコネクタ本体の先端部近傍の内側に設けられたコネクタ等、他の種類のコネクタに用いても良い。
【００３４】
以上のように、本発明の第１の実施の形態に係わるコネクタの保護カバー１０によれば、第１カバー本体１１と第２カバー本体１２のそれぞれにコネクタ２１のコード部２４を押圧保持するためのリブ１３、１４を設け、ヒンジ１７とジョイント１５、１６を介して開閉着脱が可能な構造とすることにより、コード部２４がリブ１３、１４によりぐらつかないように挟持され、コード部２４に連結されたコネクタ本体２２から突出した端子部２３の動きが抑制され、端子部２３が各カバー本体１１、１２の内壁に接触しないように空洞部内１８に収納保持できるため、保管時や輸送時等におけるゴミの侵入、及び外力による端子部２３への損傷等が確実に防止できる。そして、コネクタ２１の保護カバー１０への装着、又は取り出しがジョイント１５、１６によりワンタッチで操作できる。又、この保護カバー１０は、再利用が可能であり、生分解性プラスチック材を用いているので、不要になって廃却する時の環境負荷を小さくすることができる。
【００３５】
本発明の第２の実施の形態に係るコネクタの保護カバーについて、図面を参照して説明する。
【００３６】
図２は本発明の第２の実施の形態に係るコネクタの保護カバーを示す図で、（ａ）はコネクタを保護カバーに収納した状態の断面図、（ｂ）は保護カバーの展開斜視図である。
【００３７】
本発明の第２の実施の形態に係るコネクタの保護カバー３０は、第１の実施の形態に係るものに対し、図２に示すように、第１カバー本体３１と第２カバー本体３２の各内側には、樹脂材でなるコネクタ本体４２の各側面と対応する位置にそれぞれ内部リブ３３、３４が設けられ、コネクタのコード部を引き出すための切り欠き部に延接されたリブは省かれたものである。
【００３８】
本発明の第２の実施の形態に係るコネクタの保護カバー３０は、例えばコネクタ４１を収納保持する２つに分割された第１カバー本体３１、第２カバー本体３２と、コネクタ４１の樹脂材でなるコネクタ本体４２の各側面と対応する位置に設けられた当該側面を押圧保持する内部リブ３３、３４と、各カバー本体３１、３２を開閉可能に連結するヒンジ３７と、各カバー本体３１、３２をワンタッチで開閉着脱できるジョイント３５、３６等を備えている。
【００３９】
コネクタ４１は、例えば樹脂材等でなるコネクタ本体４２と、先端部近傍の片側面部に突出したコネクタピン等でなる端子部４３と、接続線４４等を備えた構造をなしており、外部電子機器に装着されているコネクタ嵌合部（図示せず）等に嵌合接続されるものである。このコネクタ４１の端子部４３は、コネクタ本体４２の片側面部に突出して設けられているので、ゴミの付着、及び外力による損傷等を防ぐために保護カバー３０が被せられている。
【００４０】
第１カバー本体３１と第２カバー本体３２は、対称的に分割された箱型形状に形成され、各カバー本体３１、３２の側面壁に設けられたヒンジ３７で連結された開閉可能な構造に生分解性プラスチック等の樹脂材で一体成形されており、コネクタ４１を包み込んで収納保持するものである。
【００４１】
この第１カバー本体３１と第２カバー本体３２には、それぞれ樹脂材でなるコネクタ本体４２の各側面と対応する位置に設けられた当該側面を押圧保持する内部リブ３３、３４と、各カバー本体３１、３２をワンタッチで開閉着脱できるジョイント３５、３６が一体成形されている。そして、コネクタ４１の接続線４４を引き出すための切り欠き部３１ａ、３２ａが、各カバー本体３１、３２の側壁の接続線４４と対向する位置に形成されている。
【００４２】
内部リブ３３、３４は、第１カバー本体３１と第２カバー本体３２の内部側壁のコネクタ本体４２の各側面部４２ａ、４２ｂと対向する位置に、それぞれ生分解性プラスチック等の樹脂材で一体成形されている。コネクタ４１を各カバー本体３１、３２で挟み込んで収納保持するために、第１カバー本体３１に形成された内部リブ３３は、コネクタ本体４２の一方の側面部４２ａを内部リブ３３の押圧面３３ａで当接押圧し、第２カバー本体３２に形成された内部リブ３４は、コネクタ本体４２の他方の側面部４２ｂを内部リブ３４の押圧面３４ａで当接押圧し、コネクタ４１を各カバー本体３１、３２の空洞部内３８に収納保持できるようにしたものである。
【００４３】
この内部リブ３３、３４は、コネクタ４１がカバー本体３１、３２により包み込まれた状態で、コネクタ本体４２の両側面部４２ａ、４２ｂを各内部リブ３３、３４の押圧面３３ａ、３４ａで挟み込んで動かないように挟持し、コネクタ本体４２に設けれた端子部４３の動きを各カバー本体３１、３２の内壁との所定隙間内に抑えるようにしたものである。この動きの抑制により、コネクタ４１の端子部４３が各カバー本体４１、４２の内壁に接触しないようにされた状態で、コネクタ４１が各カバー本体４１、４２の空洞部内３８に収納保持されることになる。そして、内部リブ３３、３４は、それぞれコネクタ本体４２の側面部４２ａ、４２ｂの形状に対応させて、各側面部４２ａ、４２ｂの外周縁近傍を押圧し、輸送中等におけるコネクタ４１を押圧保持できる形状に形成されている。
【００４４】
ジョイント３５、３６は、第１の実施の形態に係わるものと同じように、第１カバー本体３１と第２カバー本体３２が連結されているヒンジ３７に対向した側面壁に、それぞれ一体成形されており、ヒンジ３７を介して第１カバー本体３１と第２カバー本体３２を開閉する時、ワンタッチで開閉着脱できるようにしたものである。
【００４５】
尚、本実施例による保護カバー３０では、コネクタ４１を収納保持した時、各カバー本体３１、３２に設けられたリブ３３、３４の押圧面３３ａ、３４ａでコネクタ本体４２の側面部４２ａ、４２ｂを押圧保持するようにしているが、これにこだわることなく、リブ３３、３４の押圧面３３ａ、３４ａとコネクタ本体４２の側面部４２ａ、４２ｂとの間には、端子部４３が各カバー本体３１、３２の内壁に当らない範囲内で隙間を設けるようにしても良い。この時、コネクタ本体４２の側面部４２ａ、４２ｂは、隙間の範囲内で動くが、事前にリブ３３、３４の押圧面３３ａ、３４ａに当たって係止抑制され、端子部４３の外周縁部が各カバー本体３１、３２の内壁に接触しないように設定されており、端子部４３が各カバー本体３１、３２の空洞部内３８に収納保持されるようになっている。このリブ３３、３４の押圧面３３ａ、３４ａとコネクタ本体４２の側面部４２ａ、４２ｂとの間に隙間を設けることにより、リブ３３、３４及びコネクタ本体４２の寸法に多少のバラツキがあっても、端子部４３を各カバー本体３１、３２の内壁に当てることなく、各カバー本体３１、３２の空洞部内３８に収納保持することができる。
【００４６】
このコネクタの保護カバー３０は、コネクタ４１を包み込むように収納保持し、コネクタ４１の端子部４３を保護している。この保護カバー３０内へのコネクタ４１の収納保持は、２つに分割された第１カバー本体３１と第２カバー本体３２をヒンジ３７を介して、図２に示す矢印方向Ｆ３１に向けてコネクタ４１に被せ、第１カバー本体３１と第２カバー本体３２をジョイント３５、３６によりワンタッチで係合して行われる。この時、コネクタ本体４２の側面部４２ａ、４２ｂが第１カバー本体３１と第２カバー本体３２の各内部リブ３３、３４の押圧面３３ａ、３４ａで挟み込まれて動かないように押圧挟持され、コネクタ４１の端子部４３が各カバー本体３１、３２の内壁に当らないように、各カバー本体３１、３２の空洞部内３８に収納保持されている。
【００４７】
これにより、保護カバー３０に収納保持されたコネクタ４１は、相手側（例えば、外部電子機器等）のコネクタ嵌合部（図示せず）と嵌合接続する前の保管時や輸送時等におけるゴミの侵入、及び外力による端子部４３への損傷等が防止されることになる。そして、相手側（例えば、外部電子機器等）のコネクタ嵌合部（図示せず）との嵌合接続は、第１カバー本体３１と第２カバー本体３２をジョイント３５、３６によりワンタッチで開放してコネクタ４１を取出して行われる。
【００４８】
尚、本実施例による保護カバー３０は、端子部４３が、コネクタ本体４２の先端部近傍の片側面部に突出して設けられたコネクタ４１に用いているが、これにこだわることなく、端子部がコネクタ本体の先端部に突出して設けられたコネクタ、又は端子部がコネクタ本体の先端部近傍の内側に設けられたコネクタ等、他の種類のコネクタに用いても良い。
【００４９】
以上のように、本発明の第２の実施の形態に係わるコネクタの保護カバー３０によれば、第１カバー本体３１と第２カバー本体３２のそれぞれにコネクタ本体４２の両側面部４２ａ、４２ｂを押圧保持するための内部リブ３３、３４を設け、ヒンジ３７とジョイント３５、３６を介して開閉着脱が可能な構造とすることにより、コネクタ本体４２の両側面部４２ａ、４２ｂが内部リブ３３、３４により動かないように挟持され、コネクタ本体４２に設けられた突出した端子部４３の動きが各カバー本体３１、３２の内壁との所定隙間内に抑制され、端子部４３が各カバー本体３１、３２の内壁に接触しないように空洞部内３８に収納保持できるため、保管時や輸送時等におけるゴミの侵入、及び外力による端子部４３への損傷等が確実に防止できる。そして、コネクタ４１の保護カバー３０への装着、又は取り出しがジョイント３５、３６によりワンタッチで操作できる。又、この保護カバー３０は、再利用が可能であり、生分解性プラスチック材を用いているので、不要になって廃却する時の環境負荷を小さくすることができる。
【００５０】
本発明の第３の実施の形態に係るコネクタの保護カバーについて、図面を参照して説明する。
【００５１】
図３は本発明の第３の実施の形態に係るコネクタの保護カバーを示す図で、（ａ）はコネクタを保護カバーに収納した状態の正面断面図、（ｂ）は図３（ａ）の側面断面図、（ｃ）は図３（ａ）の上面断面図、（ｄ）は保護カバーの展開斜視図である。
【００５２】
本発明の第３の実施の形態に係るコネクタの保護カバー５０は、第１の実施の形態に係るものに対し、図３に示すように、第１カバー本体５１と第２カバー本体５２の各内部側壁の２箇所には、樹脂材でなるコネクタ本体６２の上下側面部６２ａ、６２ｂと対応する位置に第１内部リブ５３、５４が、コネクタ本体６２のフランジ前面部６２ｃと対応する位置に第２内部リブ５５、５６がそれぞれ設けられ、コネクタのコード部を引き出すための切り欠き部に延接されたリブは省かれたものである。
【００５３】
本発明の第３の実施の形態に係るコネクタの保護カバー５０は、例えばコネクタ６１を収納保持する２つに分割された第１カバー本体５１、第２カバー本体５２と、コネクタ６１の樹脂材でなるコネクタ本体６２の上下側面部６２ａ、６２ｂと対応する位置に設けられた当該側面６２ａ、６２ｂを押圧保持する第１内部リブ５３、５４と、コネクタ本体６２のフランジ前面部６２ｃと対応する位置に設けられた当該前面部６２ｃを押圧係止する第２内部リブ５５、５６と、各カバー本体５１、５２を開閉可能に連結するヒンジ５９と、各カバー本体５１、５２をワンタッチで開閉着脱できるジョイント５７、５８等を備えている。
【００５４】
コネクタ６１は、例えば樹脂材等でなるコネクタ本体６２と、先端部近傍の片側面部に突出した第１端子部６３と、先端部に突出した第２端子部６４と、接続線６５等を備えた構造をなしており、外部電子機器に装着されているコネクタ嵌合部（図示せず）等に嵌合接続されるものである。このコネクタ６１の第１端子部６３と第２端子部６４は、コネクタ本体６２の片側面部と先端部にそれぞれ突出して設けられているので、ゴミの付着、及び外力による損傷等を防ぐために保護カバー５０が被せられている。
【００５５】
第１カバー本体５１と第２カバー本体５２は、対称的に分割された箱型形状に形成され、各カバー本体５１、５２の側面壁に設けられたヒンジ５９で連結された開閉可能な構造に生分解性プラスチック等の樹脂材で一体成形されており、コネクタ６１を包み込んで収納保持するものである。
【００５６】
この第１カバー本体５１と第２カバー本体５２には、それぞれ樹脂材でなるコネクタ本体６２の上下側面部６２ａ、６２ｂと対応する位置に設けられた当該側面を押圧保持する第１内部リブ５３、５４と、コネクタ本体６２のフランジ前面部６２ｃと対応する位置に設けられた当該前面部６２ｃを押圧保持する第２内部リブ５５、５６と、各カバー本体５１、５２をワンタッチで開閉着脱できるジョイント５７、５８が一体成形されている。そして、コネクタ６１の接続線６５を引き出すための切り欠き部５１ｂ、５２ｂが、各カバー本体５１、５２の側壁の接続線６５と対向する位置に形成されている。
【００５７】
第１内部リブ５３、５４は、第１カバー本体５１と第２カバー本体５２の内部側壁の所定位置（コネクタ本体６２の上下側面部６２ａ、６２ｂと対応する位置）に、それぞれ生分解性プラスチック等の樹脂材で一体成形されている。
【００５８】
この第１内部リブ５３、５４は、コネクタ６１が各カバー本体５１、５２により包み込まれた状態で、コネクタ本体６２の両側面部６２ａ、６２ｂを各内部リブ５３、５４の押圧面５３ａ、５４ａで挟み込んで動かないように挟持し、コネクタ本体６２に設けれた第１端子部６３の上下の動きを各カバー本体５１、５２の内壁との所定隙間内に抑制するために設けられている。この動きの抑制により、コネクタ６１の第１端子部６３が各カバー本体５１、５２の内壁に接触しないようにされた状態で、コネクタ６１が各カバー本体５１、５２の空洞部内６６に収納保持されることになる。そして、この第１内部リブ５３、５４は、それぞれコネクタ本体６２の上下側面部６２ａ、６２ｂの形状に対応させて、各側面部６２ａ、６２ｂの外周縁近傍を押圧し、輸送中等におけるコネクタ４１を押圧保持できる形状に形成されている。
【００５９】
第２内部リブ５５、５６は、第１カバー本体５１と第２カバー本体５２の内部側壁の所定位置（コネクタ本体６２のフランジ前面部６２ｃと対応する位置）に、それぞれ生分解性プラスチック等の樹脂材で一体成形されている。この第２内部リブ５５、５６は、コネクタ６１を各カバー本体５１、５２で挟み込んで第２端子部６４が各カバー本体５１、５２の前面部の内壁に当らないように、コネクタ本体６２のフランジ前面部６２ｃを当接係止して第２端子部６４の前方への動きを抑制し、各カバー本体５１、５２の空洞部内６６に収納保持できるようにしたものである。第１カバー本体５１と第２カバー本体５２に形成されたそれぞれの第２内部リブ５５、５６は、コネクタ本体６２に設けられたフランジ前面部６２ｃの両側の一端面をそれぞれの第２内部リブ５５、５６の各係止面５５ａ、５６ａで当接係止するようにしている。
【００６０】
この第１内部リブ５３、５４と第２内部リブ５５、５６により、コネクタ６１に設けられた２種類の第１端子部６３と第１端子部６４が、それぞれ各カバー本体５１、５２の内壁に当らないように、各カバー本体５１、５２の空洞部内６６に収納保持されることになる。
【００６１】
ジョイント５７、５８は、第１の実施の形態に係わるものと同じように、第１カバー本体５１と第２カバー本体５２が連結されているヒンジ５９に対向した側面壁に、それぞれ一体成形されており、ヒンジ５９を介して第１カバー本体５１と第２カバー本体５２を開閉する時、ワンタッチで開閉着脱できるようにしたものである。
【００６２】
尚、本実施例による保護カバー５０では、コネクタ６１を収納保持した時、各カバー本体５１、５２に設けられた第１内部リブ５３、５４の押圧面５３ａ、５４ａでコネクタ本体６２の側面部６２ａ、６２ｂを押圧保持するようにしているが、これにこだわることなく、第１内部リブ５３、５４の押圧面５３ａ、５４ａとコネクタ本体６２の側面部６２ａ、６２ｂとの間には、第１端子部６３が各カバー本体５１、５２の内壁に当らない範囲内で隙間を設けるようにしても良い。この時、コネクタ本体６２の側面部６２ａ、６２ｂは、隙間の範囲内で動くが、事前に第１内部リブ５３、５４の押圧面５３ａ、５４ａに当たって係止抑制され、第１端子部６３の外周縁部が各カバー本体５１、５２の内壁に接触しないように設定されており、第１端子部６３が各カバー本体５１、５２の空洞部内６６に収納保持されるようになっている。この第１内部リブ５３、５４の押圧面５３ａ、５４ａとコネクタ本体６２の側面部６２ａ、６２ｂとの間に隙間を設けることにより、第１内部リブ５３、５４及びコネクタ本体６２の寸法に多少のバラツキがあっても、第１端子部６３を各カバー本体５１、５２の内壁に当てることなく、各カバー本体５１、５２の空洞部内６６に収納保持することができる。
【００６３】
このコネクタの保護カバー５０は、コネクタ６１を包み込むように収納保持し、コネクタ６１の２箇所に装着された種類の異なる端子部６３、６４を保護している。この保護カバー５０内へのコネクタ６１の収納保持は、２つに分割された第１カバー本体５１と第２カバー本体５２とをヒンジ５９を介して、図３に示す矢印方向Ｆ５１に向けてコネクタ６１に被せ、第１カバー本体５１と第２カバー本体５２をジョイント５７、５８によりワンタッチで係合して行われる。この時、コネクタ本体６２のフランジ前面部６２ｃの両側の一端面が第１カバー本体５１と第２カバー本体５２の第２内部リブ５５、５６の各係止面５５ａ、５６ａで当接係止された状態で、コネクタ本体６２の側面部６２ａ、６２ｂが第１カバー本体５１と第２カバー本体５２の各第１内部リブ５３、５４で挟み込まれて押圧され、コネクタ６１の２箇所の端子部６３、６４がカバー本体５１の内壁に当らないように、カバー本体５１の空洞部内６６に収納保持されている。
【００６４】
これにより、保護カバー５０に収納保持されたコネクタ６１は、相手側（例えば、外部電子機器等）のコネクタ嵌合部（図示せず）と嵌合接続する前の保管時や輸送時等におけるゴミの侵入、及び外力による２種類の端子部６３、６４への汚れや損傷等が防止されることになる。そして、相手側（例えば、外部電子機器等）のコネクタ嵌合部（図示せず）との嵌合接続は、第１カバー本体５１と第２カバー本体５２をジョイント５７、５８によりワンタッチで開放してコネクタ６１を取出してから行われる。
【００６５】
以上のように、本発明の第３の実施の形態に係わるコネクタの保護カバー５０によれば、第１カバー本体５１と第２カバー本体５２のそれぞれにコネクタ本体６２のフランジ前面部６２ｃを押圧係止するための第２内部リブ５５、５６とコネクタ本体６２の側面部６２ａ、６２ｂを押圧保持するための第１内部リブ５３、５４を設け、ヒンジ５９とジョイント５７、５８を介して開閉着脱が可能な構造とすることにより、第１内部リブ５３、５４では、コネクタ本体６２の両側面部６２ａ、６２ｂが第１内部リブ５３、５４により動かないように挟持され、コネクタ本体６２に設けられ先端部近傍の片側面部から突出した第１端子部６３の動きが各カバー本体５１、５２の内壁との設定された隙間寸法内に抑制される。そして、第２内部リブ５５、５６では、コネクタ本体６２のフランジ前面部６２ｃの両側の一端面が第２内部リブ５５、５６の各係止面５５ａ、５６ａで当接係止され、コネクタ本体４２の先端部に突出した第２端子部６４の動きが各カバー本体５１、５２の内壁との設定された隙間寸法内に抑制される。これにより、コネクタ本体４２の先端部近傍の片側面部から突出した第１端子部６３と、先端部に突出した第２端子部６４がそれぞれ各カバー本体５１、５２の内壁に接触することなく、空洞部内６６に収納保持できるため、２種類の異なる各端子部６３、６４を有するコネクタ６１においても、保管時や輸送時等におけるゴミの侵入、及び外力による各端子部６３、６４への汚れや損傷等が確実に防止できる。そして、コネクタ６１の保護カバー５０への装着、又は取り出しがジョイント５７、５８によりワンタッチで操作できる。
【００６６】
又、この保護カバー５０は、再利用が可能であり、生分解性プラスチック材を用いているので、不要になって廃却する時の環境負荷を小さくすることができる。
【００６７】
本発明の第４の実施の形態に係るコネクタの保護カバー及び保護カバー付きコネクタについて、図面を参照して説明する。
【００６８】
図４は本発明の第４の実施の形態に係るコネクタの保護カバー及び保護カバー付きコネクタを示す図で、（ａ）はコネクタを保護カバーに収納した状態の断面図、（ｂ）は図４（ａ）の側面断面図、（ｃ）は保護カバーの展開斜視図、（ｄ）は連結ワイヤ９０によるコネクタと保護カバーの連結詳細図である。
【００６９】
本発明の第４の実施の形態に係るコネクタの保護カバー（又は、保護カバー付きコネクタ）７０は、例えば、図４に示すように、コネクタ８１とカバー７１とが連結ワイヤ９０で連結されたもので、コネクタ８１を収納保持するカバー本体７１と、カバー本体７１とコネクタ８１を連結する着脱可能な連結ワイヤ９０と、コネクタ８１をカバー本体７１内に収納保持する発砲スチロール材等でなる緩衝材７２、７３等を備えている。
【００７０】
コネクタ８１は、例えば樹脂材等でなるコネクタ本体８２と、先端部近傍の片側面部に突出した端子部８３と、接続線８４等を備えた構造をなしており、外部電子機器に装着されているコネクタ嵌合部（図示せず）等に嵌合接続されるものである。このコネクタ８１の端子部８３は、コネクタ本体８２の片側面部に突出して設けられているので、コネクタ８１の輸送時等においてはゴミの付着、及び外力による損傷等を防ぐために保護カバー３０が被せられている。そして、コネクタ本体８２の側面部には連結ワイヤ９０の連結部９２をワンタッチで嵌め込み係合できる係合孔部８２ａが形成されており、連結ワイヤ９０を介してカバー本体７１と連結されて一対で保管できるようにされたものである。
【００７１】
カバー本体７１は、箱型形状に生分解性プラスチック等の樹脂材で一体成形されており、側面壁には連結ワイヤ９０の連結部９１をワンタッチで嵌め込み係合できる係合孔部７１ａが形成されている。このカバー本体７１は、連結ワイヤ９０でコネクタ８１を連結した状態で、コネクタ６１を包み込んで収納保持するものである。
【００７２】
連結ワイヤ９０は、両端部にそれぞれ突起部９１ｂ、９２ｂと少なくとも２箇所の切り溝９１ａ、９２ａを備えた弾性を有する係合爪９１、９２が形成され、樹脂材等で紐状に一体成形されている。この連結ワイヤ９０は、突起部９１ｂをカバー本体７１の係合孔部７１ａに嵌め込み、突起部９２ｂをコネクタ本体８２の係合孔部８２ａにそれぞれ嵌め込んで、カバー本体７１とコネクタ８１を連結し、一対で保管できるようにしたものである。
【００７３】
緩衝材７２、７３は、例えば、発砲スチロール、スポンジ等で成形されており、コネクタ本体８２の両側壁に各緩衝材７２、７３を装着した状態でカバー本体７１を被せ、コネクタ本体８２を収納保持するものである。
【００７４】
尚、本実施例による保護カバー７０に用いられた連結ワイヤ９０は、第１実施例、第２実施例、及び第３実施例による保護カバーに用いることもできる。
【００７５】
又、本実施例による保護カバー７０では、コネクタ本体８２の両側壁とカバー本体７１の間に各緩衝材７２、７３を装着してコネクタ本体８２を収納保持するようにしているが、これにこだわることなく、コネクタ本体８２をカバー本体７１内に収納保持する別の保持手段を用いるようにしても良い。
【００７６】
このコネクタの保護カバー７０は、例えば、連結ワイヤ９０でコネクタ本体８２とカバー本体７１が連結された状態で、コネクタ本体８２の両側壁に各緩衝材７２、７３を装着し、カバー本体７１でコネクタ８１を包み込むように収納保持し、コネクタ８１の端子部８３をカバー本体７１により保護している。
【００７７】
この保護カバー７０内へのコネクタ８１の収納保持は、緩衝材７２、７３をコネクタ本体８２の両側壁に装着した状態で、カバー本体７１を図４に示す矢印方向Ｆ７１に向けてコネクタ８１に被せ、各緩衝材７２、７３でコネクタ本体８２を押圧して行い、コネクタ８１のコネクタピン８３がカバー本体７１の内壁に直接当たって損傷等しないように、カバー本体７１の空洞部内７５に収納保持されている。
【００７８】
これにより、保護カバー７０に収納保持されたコネクタ８１は、相手側（例えば、外部電子機器等）のコネクタ嵌合部（図示せず）と嵌合接続する前の保管時や輸送時等におけるゴミの侵入、及び外力によるコネクタピン８３への汚れや損傷等が防止されることになる。そして、相手側（例えば、外部電子機器等）のコネクタ嵌合部（図示せず）との嵌合接続は、カバー本体７１をコネクタ本体８２から取外してから緩衝材７２、７３をそれぞれコネクタ本体８２の両側壁から取外し、連結ワイヤ９０の突起部９２ｂをコネクタ本体８２の係合孔部８２ａから引き抜いて、保護カバー７０からコネクタ８１を取出して行われる。
【００７９】
尚、本実施例による保護カバー７０では、カバー本体７１とコネクタ８１の連結を連結ワイヤ９０を用いて着脱できるようにしているが、これにこだわることなく、連結ワイヤをカバー本体とコネクタ本体に一体成形するようにしても良い。この場合には、コネクタ８１と相手側のコネクタとの嵌合接続は、連結ワイヤを切断してコネクタ本体８２をカバー本体７１から取外してから行われ、カバー本体７１が環境負荷の小さい生分解性プラスチック材により成形されているので、使い捨てが可能である。
【００８０】
又、本実施例による保護カバー７０は、コネクタピン８３等でなる端子部が、コネクタ本体８２の先端部近傍の片側面部に突出して設けられた種類のコネクタ８１に用いられているが、これにこだわることなく、端子部がコネクタ本体の先端部に突出して設けられたコネクタ、又は端子部がコネクタ本体の先端部近傍の内側に設けられたコネクタ等、他の種類のコネクタに用いても良い。
【００８１】
以上のように、本発明の第４の実施の形態に係わるコネクタの保護カバー７０によれば、コネクタ８１と保護カバー７０を連結ワイヤ９０により連結し、コネクタ８１を緩衝材７２、７３を介して、カバー本体７１を被せて保護することにより、コネクタ本体８２の先端部近傍の片側面部に突出した端子部８３がカバー本体７１の内壁に直接当らないように、カバー本体７１の空洞部内７５に収納保持できるため、保管時や輸送時等におけるゴミの侵入、及び外力によるコネクタピン８３への汚れや損傷等が防止できる。そして、コネクタ８１と保護カバー７０を連結ワイヤ９０で連結して一対にすることにより、保管がし易く、省スペース化が図れ、コネクタ８１を相手側のコネクタに嵌合接続した後のカバー本体７１は、環境負荷の小さい生分解性プラスチック材が用いられているので使い捨てが可能である。又、連結ワイヤ９０をワンタッチで着脱操作できる構造にすることにより、コネクタ８１を相手側のコネクタに嵌合接続した後のカバー本体７１は、連結ワイヤ９０をコネクタ本体８２から取外して再利用することができる。
【００８２】
【発明の効果】
以上説明した様に、本発明によれば、コネクタの端子部を保護するコネクタの保護カバーにおいて、コネクタのコネクタ本体に突出して装着されたコネクタピンでなる端子部を保護するための保護カバーを、開閉可能なヒンジを介して２つに分割し、分割された各カバーの外壁に切り欠き部、又は内壁に内部リブを設け、保護カバーをコネクタに被せ、切り欠き部、又は内部リブでコネクタのコード部、又はコネクタ本体を動かないように当接挟持することにより、コネクタの端子部の動きが抑制され、端子部が保護カバーの内壁に接触することなく、保護カバーの空洞部に収納保持できるため、保管時や輸送時等におけるゴミの侵入、及び外力による端子部への汚れや損傷等が確実に防止できる。
【００８３】
そして、コネクタの保護カバーへの装着、又は取り出しが保護カバーに設けられたジョイントによりワンタッチで操作でき、保護カバーの再利用が可能となる。又、保護カバーとコネクタを連結ワイヤで連結して一対にすることにより、保管のし易さと省スペース化が図れる。
【図面の簡単な説明】
【図１】本発明の第１の実施の形態に係るコネクタの保護カバーを示す図である。
【図２】本発明の第２の実施の形態に係るコネクタの保護カバーを示す図である。
【図３】本発明の第３の実施の形態に係るコネクタの保護カバーを示す図である。
【図４】本発明の第４の実施の形態に係るコネクタの保護カバー及び保護カバー付きコネクタを示す図である。
【図５】従来のコネクタの保護カバーを示す外観斜視図である。
【符号の説明】
１０、３０、５０、７０、１００・・・コネクタの保護カバー
１１、３１、５１・・・第１カバー本体
１２、３２、５２・・・第２カバー本体
１３、１４・・・リブ
１５、１６、３５、３６、５７、５８・・・ジョイント
１７、２７、５９・・・ヒンジ
２１、４１、６１、８１、１０５・・・コネクタ
２２、４２、６２、８２、１０６・・・コネクタ本体
２３、４３、６３、６４・・・コネクタピン
２４・・・コード部
３３、３４・・・内部リブ
４４、６５、８４・・・接続線
５３、５４・・・第１内部リブ
５５、５６・・・第２内部リブ
７２、７３・・・緩衝材
９０・・・連結ワイヤ
９１、９２・・・係合爪
【図１】
2004319138.tif 000003
【図２】
2004319138.tif 000004
【図３】
2004319138.tif 000005
【図４】
2004319138.tif 000006
【図５】
2004319138.tif 000007